(57)【要約】【課題】  収容物が入った状態においては飾りキャップ付き収納容器として用いることができ、収容物の取り出し後においては、装飾物の陳列容器として使用できる収納容器及び、接合部材を介してキャップ状部材を反転させることにより容易かつ迅速に机等の上に置くことができ、全体として球状に形成され、外観が良好で購買意欲を惹起する収納容器の提供を図る。【解決手段】  収納容器本体２５と、内容物を収納又は排出しうる孔部１１と、上記孔部１１を閉止しうる閉止部材１２を備えた収納容器１０であって、上記閉止部材１２は、上記孔部１１を閉止するために固定された状態から反転させた状態においても上記孔部１１を閉止しうるように構成される。【特許請求の範囲】
【請求項１】
内容物を収納又は排出しうる孔部を有する収納容器本体と、この孔部を閉止しうる閉止部材を備えた収納容器であって、
上記閉止部材は、上記孔部を閉止するために固定された状態から反転させた状態において上記孔部を閉止しうるように構成されていること特徴とする収納容器。
【請求項２】
上記閉止部材には、上記孔部への係合部が複数個所に形成されていることを特徴とする請求項１記載の収納容器。
【請求項３】
上記内容物は飲料水であると共に、上記収納容器は飲料水が外部から視認可能に形成されていることを特徴とする請求項１，２，３又は４記載の収納容器。
【請求項４】
上記閉止部材はキャップであり、上記キャップの上面側及び下面側には夫々上記孔部への係合部が形成されていることを特徴とする請求項１又は３記載の収納容器。
【請求項５】
上記孔部の周縁部には、上収納容器本体の表面から突出するキャップ係止部が形成されていることを特徴とする請求項１、２，３，４，８，９又は１０記載の収納容器。  
【請求項６】
上記キャップ係止部にはネジ溝が形成されていると共に、上記キャップの係合部には上記ネジ溝に係合しうるネジ溝が形成されていることを特徴とする請求項１記載の収納容器。  
【請求項７】
上記キャップの上面側には装飾物が設けられていることを特徴とする請求項１，３，５，６，７，８，１１又は１２記載の収納容器。
【請求項８】
上記キャップは、閉止面部と、この閉止面部の周縁部において閉止面部の上下方向に延設されて、上記閉止面部を包囲するように形成された側面部とを有し、
上記側面部の閉止面部下方側の内側面には、上記キャップ係止部のネジ溝に係合しうるネジ溝が形成されると共に、上記側面部の上記閉止面部の上方側の内側面にも上記キャップ係止部のネジ溝に係合しうるネジ溝が形成されていることを特徴とする請求項８，１１，１２又は１４記載の収納容器。
【請求項９】
上記閉止面部の上面側には、上記孔部を介して収納容器内へ挿入しうる装飾物が設けられていることを特徴とする請求項１６記載の収納容器。
【請求項１０】
上記閉止部材は、上記孔部を閉止しうる閉止部を有する接合部材と、上記接合部材が着脱可能に固定されるキャップ状部材とを備えたことを特徴とする請求項１記載の収納容器。  
【請求項１１】
上記キャップ状部材が上記収納容器本体から取り外され、接合部材を介して反転させた状態で上記収納容器本体に固定された場合には、上記収納容器本体の脚部となることを特徴とする請求項１０記載の収納容器。
【請求項１２】
上記接合部材は、一面部にはキャップ状部材への着脱可能な固定部を有する一方、他面部には上記孔部の閉止部が形成されると共に上記孔部へ係合しうる係合部
が設けられていることを特徴とする請求項１１記載の収納容器。
【請求項１３】
上記キャップ状部材は、上記収納容器本体の輪郭形状と連続する輪郭形状を有し、上記収納容器と上記閉止部材とが全体として一体となるように形成されていることを特徴とする請求項１０記載の収納容器。
【請求項１４】
上記収納容器は全体球体に形成され、上記収納容器本体は略半球状に形成されていると共に、上記キャップ状部材は、上記収納容器本体と共に球体を形成しうる形状に形成されていることを特徴とする請求項１０記載の収納容器。  
【請求項１５】
上記キャップ状部材は全体椀状に形成され、上記接合部材は短円筒状に形成されて上記キャップ状部材内に固定され、上記孔部には係合突部が形成され、
上記接合部材は、上記孔部の係合突部に係合しうる係合突部を有すると共に上記キャップ状部材への固定突部を有し、
上記キャップ状部材の外方部には上記接合部材の固定突部と係合しうる接合部材固定凹部が設けられ、
上記接合部材が上記キャップ状部材内に固定された状態で、上記キャップ状部材が上記収納容器本体に固定されている場合には、上記係合部により上記孔部へ係合して孔部を閉止する一方、
上記キャップ状部材が、上記収納容器本体から取り外された場合には、上記接合部材は、上記キャップ状部材内から取り外され、上記固定突部は上記キャップ状部材の外方部に形成された接合部材固定凹部に係合され、上記係合部を上記孔部に係合させて孔部を閉止した状態で上記収納容器本体に固定させうることを特徴とする請求項１４記載の収納容器。
【請求項１６】
上記内容物は液体であると共に、上記収納容器本体は外部から液体が視認可能に形成されていることを特徴とする請求項１０，１１，１２，１３，１４又は１５記載の収納容器。
【請求項１７】
上記液体内には装飾体が配置され、上記収納容器は上記装飾体が外部から視認可能に形成されていることを特徴とする請求項１０，１１，１２，１３，１４又は１５記載の収納容器。
【発明の詳細な説明】
【技術分野】
【０００１】
本発明は、収納容器に係り、特に、使用後に装飾物の陳列容器として使用できる収納容器に関する。
【背景技術】
【０００２】
従来から、飲料水などの液体を充填したＰＥＴボトルの蓋体に被せ使用するＰＥＴボトルの飾りカバーキャップ等が存在する（特許文献１、特許文献２）。
【０００３】
また、瓶内に船などを納めて、瓶全体をインテリアとして飾るいわゆるボトルシップが存在する（特許文献３）。
【特許文献１】特開２００１−２５３４６１号
【特許文献２】実登３０６６７０９号
【特許文献３】実開平０２−１０９７００号
【発明の開示】
【発明が解決しようとする課題】
【０００４】
ここで、特許文献１、２にかかる発明は、市販のＰＥＴボトルのキャップに人形等が載置された飾りキャップを係合することにより、上記ボトルのキャップに識別力を付して、他人のボトルと見分けがつくようにしたものであるが、上記ＰＥＴボトルの飲料後においては、上記ボトルキャップは用を成したものとして、廃棄される。
【０００５】
また、特許文献３にかかる考案は、瓶の中に帆船など模型を入れた陳列容器であり、瓶の中に帆船等を入れる前においては、上記帆船は、別途保存してあるものであり、瓶の蓋部分においては、特に装飾がなされていない。
【０００６】
そこで、本発明が解決しようとする課題は、収容物が入った状態においては飾りキャップ付き収納容器として用いることができ、収容物の取り出し後においては、装飾物の陳列容器として使用できる収納容器及び、接合部材を介してキャップ状部材を反転させることにより容易かつ迅速に机等の上に置くことができ、全体として球状に形成され、外観が良好で購買意欲を惹起する収納容器の提供を図ることにある。
【課題を解決するための手段】
【０００７】
このような技術的課題解決のため、請求項１の記載の発明にあっては、収納容器本体２５と、内容物を収納又は排出しうる孔部１１と、上記孔部１１を閉止しうる閉止部材１２を備えた収納容器１０であって、上記閉止部材１２は、上記孔部１１を閉止するために固定された状態から反転させた状態においても上記孔部１１を閉止しうるように構成されていること特徴とする収納容器１０に関するものである。
したがって、請求項１記載の発明にあっては、上記閉止部材１２を反転させた場合にあっても、上記収納容器本体２５に設けられた孔部１１を閉止しうる。
【０００８】
請求項２記載の発明は、上記閉止部材１２には、上記孔部１１への係合部１５ａ，１５ｂが複数個所に形成されていることを特徴とする請求項１記載の収納容器に関するものである。
したがって、請求項２記載の発明にあっては、上記閉止部材１２の複数個所により孔部１１を閉塞することができる。
【０００９】
請求項３記載の発明は、上記内容物は飲料水であると共に上記収納容器１０は飲料水が外部から視認可能に形成されていることを特徴とする請求項１又は２記載の収納容器１０に関するものである。
したがって、請求項３記載の発明にあっては、収納物を上記収納容器１０内に収納した場合にあっても、収納物を外部から視認することができる。
【００１０】
請求項４記載の発明は、上記閉止部材１２はキャップ１４であり、上記キャップ１４の上面側及び下面側には夫々上記孔部１１への係合部１５が形成されていることを特徴とする請求項１又は２記載の収納容器１０に関するものである。
したがって、請求項４記載の発明にあっては、上記キャップ１４を上記係合部１５により、上記収納容器１０を閉止しうる。
【００１１】
請求項５記載の発明は、上記孔部１１の周縁部１６には、上記収納容器１０の表面から突出するキャップ係止部１７が形成されていることを特徴とする請求項１、２又は４記載の収納容器１０に関するものである。
したがって、請求項５記載の発明にあっては、上記キャップ１４を上記キャップ係止部１７に係合することにより、収納容器１０を閉止しうる。
【００１２】
請求項６記載の発明は、上記キャップ係止部１７にはネジ溝１８が形成されていると共に上記キャップ１４の係合部１５ａ，１５ｂには上記ネジ溝１８に係合しうるネジ溝１９ａ，１９ｂが形成されていることを特徴とする請求項１記載の収納容器１０に関するものである。
したがって、請求項６記載の発明にあっては、キャップ１４のネジ溝１９をキャップ係止部１７のネジ溝１９に係合させて孔部１１を閉止することができる。
【００１３】
請求項７記載の発明は、上記キャップ１４の上面側には装飾物２０が設けられていることを特徴とすることを特徴とする請求項１，２，３，４，５又は６記載の収納容器１０に関するものである。
したがって、請求項７記載の発明にあっては、上記キャップ１４に載置されたキャラクターや人形等の装飾物２０を上記収納容器１０外部に露呈させ、上記収納容器１０に美的装飾効果与えることができる。
また、上記キャップ１４上面に設けられた係合部１５を上記穴に係合させることにより、上記収納容器１０から飲料水等収容物を取り出した使用後においても、上記キャップ１４に載置されたキャラクターや人形等の装飾物２０を上記収納容器１０内部において配置することができ、上記収納容器１０を上記キャラクターや人形等の陳列容器として、利用することができる。
【００１４】
請求項８記載の発明は、上記キャップ１４は、閉止面部２１と、この閉止面部２１の周縁部２２において閉止面部２１の上下方向に延設されて、上記閉止面部２１を包囲するように形成された側面部２３とを有し、上記側面部２３の閉止面部２１下方側の内側面２４には、上記キャップ係止部１７のネジ溝１８に係合しうるネジ溝１９が形成されると共に、上記側面部２３の上記閉止面部２１の上方側の内側面２４にも上記キャップ係止部１７のネジ溝に係合しうるネジ溝１９が形成されていることを特徴とする請求項４，５，６又は７記載の収納容器１０に関するものである。
したがって、請求項８記載の発明にあっては、上記キャップ１４に載置されたキャラクターや人形等の装飾物２０を上記収納容器１０外部に露呈させ、上記収納容器１０に美的装飾効果を与えることができ、上記キャップ１４上面に設けられたネジ溝１９を上記キャップ係止部１７に設けられたネジ溝１８に係合させることにより、上記収納容器１０から飲料水等収容物を取り出した使用後においても、上記キャップ１４に載置されたキャラクターや人形等の装飾物２０を上記収納容器１０内部に配設することができ上記収納容器１０を上記キャラクターや人形等の陳列容器として、利用することができる。
【００１５】
請求項９記載の発明は、上記閉止面部２１の上面側には、上記孔部１１を介して収納容器１０内へ挿入しうる装飾物２０が設けられていることを特徴とする請求項８記載の収納容器１０に関するものである。
したがって、請求項９記載の発明にあっては、上記キャップ１４上面に設けられたネジ溝１９を、上記キャップ係止部１７に設けられたネジ溝１８に係合することにより、上記装飾物２０を、孔部１１を介して上記収納容器１０内に配置することができる。
【００１６】
請求項１０記載の発明は、上記閉止部材１２は、上記孔部１１を閉止しうる閉止部３６を有する接合部材３７と、上記接合部材３７が着脱可能に固定されるキャップ状部材３８とを備えたことを特徴とする請求項１記載の収納容器１０に関するものである。
したがって、請求項１０記載の発明にあっては、上記接合部材３７と上記キャップ状部材３８により構成される上記閉止部材１２を反転させた場合にあっても、上記収納容器本体２５に設けられた孔部１１を閉止しうる。
【００１７】
請求項１１記載の発明は、上記キャップ状部材３８が上記収納容器本体２５から取り外され、上記接合部材３７を介して反転させた状態で上記収納容器本体２５に固定された場合には、上記収納容器本体２５の脚部３９となることを特徴とする請求項１０記載の収納容器１０に関するものである。
したがって、請求項１１記載の発明にあっては、上記収納容器本体２５より上記キャップ状部材３８を取り外し、反転させて脚部３９として使用し脚部３９上に収納容器本体２５を固定し、脚部３９を介して収納容器１０を机等の上に置くことができる。
【００１８】
請求項１２記載の発明は、上記接合部材３７は、一面部にはキャップ状部材３８への着脱可能な固定部４１を有する一方、他面部には上記孔部１１の閉止部３６が形成されると共に上記孔部１１へ係合しうる係合部４３が設けられていることを特徴とする請求項１１記載の収納容器１０に関するものである。
したがって、請求項１２記載の発明にあっては、接合部材３７を介して、取り外したキャップ状部材３８を反転させることにより、上記キャップ状部材３８を上記収納容器１０を支持しうる脚部３９として使用される。
【００１９】
請求項１３記載の発明は、上記キャップ状部材３８は、上記収納容器本体２５の輪郭形状と連続する輪郭形状を有し、上記収納容器１０と上記閉止部材１２とが全体として一体となるように形成されていることを特徴とする請求項１０記載の収納容器１０に関するものである。
したがって、請求項１３記載の発明にあっては、上記キャップ状部材３８と収納容器本体２５により一体的な形状が形成される。
【００２０】
請求項１４記載の発明は、上記収納容器１０は全体球体に形成され、上記収納容器本体２５は略半球状に形成されていると共に、上記キャップ状部材３８は、上記収納容器本体２５と共に球体を形成しうる形状に形成されていることを特徴とする請求項１０記載の収納容器１０に関するものである。
したがって、請求項１４記載の発明にあっては、上記キャップ状部材３８と収納容器本体２５により全体として球状に形成された収納容器１０が形成される。
【００２１】
請求項１５記載の発明は、上記キャップ状部材３８は全体椀状に形成され、上記接合部材３７は短円筒状に形成されて上記キャップ状部材３８内に固定され、上記孔部１１には係合突部４４が形成され、上記接合部材３７は、上記孔部１１の係合突部４４に係合しうる係合突部４５を有すると共に上記キャップ状部材３８への固定突部４６を有し、上記キャップ状部材３８の外方部４８には上記接合部材３７の固定突部４６と係合しうる接合部材固定凹部４７が設けられ、上記接合部材３７が上記キャップ状部材３８内に固定された状態で、上記キャップ状部材３８が上記収納容器本体２５に固定されている場合には、上記係合部４３により上記孔部１１へ係合して孔部１１を閉止する一方、上記キャップ状部材３８が、上記収納容器本体２５から取り外された場合には、上記接合部材３７は、上記キャップ状部材３８内から取り外され、上記固定突部４６は上記キャップ状部材３８の外方部４８に形成された接合部材固定凹部４７に係合され、上記係合部４３を上記孔部１１に係合させて孔部１１を閉止した状態で上記収納容器本体２５に固定させうることを特徴とする請求項１４記載の収納容器１０に関するものである。
したがって、請求項１５記載の発明によれば、上記収納容器本体２５を上記接続部材３７を介して置き物として形成し、容易かつ迅速に机等の上に置くことができる。
【００２２】
請求項１６記載の発明は、上記内容物は液体であると共に、上記収納容器本体２５は外部から液体が視認可能に形成されていることを特徴とする請求項１０，１１，１２，１３，１４又は１５記載の収納容器１０に関するものである。
したがって、請求項１６記載の発明にあっては、上記収納容器１０の内部に液体を収納した場合にあっても、上記収納容器１０の内部の液体を外方から視認することができる。
【００２３】
請求項１７記載の発明は、上記液体内には装飾体４９が配置され、上記収納容器１０は上記装飾体４９が外部から視認可能に形成されていることを特徴とする請求項１０，１１，１２，１３，１４又は１５記載の収納容器１０に関するものである。
したがって、請求項１７記載の発明にあっては、上記収納容器１０の内部に収納した液体内に装飾体４９が封入された場合にあっても、上記収納容器１０の内部の装飾体４９を外部から鑑賞することができる。
【発明の効果】
【００２４】
本発明は、上記のように構成されているので、以下の効果を奏する。
請求項１記載の発明によれば、上記閉止部材１２は、反転させた状態においても、上記孔部１１を閉止しうることから、上記閉止部材１２は片面のみならず両面どちらの面においても収納容器１０を閉止することができる。
【００２５】
請求項２記載の発明によれば、上記閉止部材１２には、係合部１５ａ，１５ｂが複数箇所に形成されていることから、複数の態様により収納容器を閉止することができる。
【００２６】
請求項３記載の発明によれば、上記収納容器内の飲料水が外部から視認可能に形成されていることから、内容物を外部から視認可能なため、内容物の判別を容易に行うことができ、上記収納容器１０内に、上記キャップ１４に固定されたキャラクターや人形等の装飾物２０を上記収納容器１０内において陳列した場合にあっても、上記人形等収納容器内の陳列物が外部から視認できることから、上記人形等の装飾物２０のディスプレイ効果を創出することができる。
【００２７】
請求項４記載の発明によれば、上記キャップ１４には、係合部１５ａ，１５ｂが形成されていることから、上記キャップ１４の上面及び下面の両側により、キャップ１４を反転させて収納容器１０の孔部１１を閉止することができる。
【００２８】
請求項５記載の発明によれば、上記孔部周縁部１６にはキャップ係止部１７が形成されていることから、上記キャップ１４を上記キャップ係止部１７に係合することにより、上記収納容器１０を密封することができる。
【００２９】
請求項６記載の発明によれば、上記キャップ係止部１７及び上記キャップの係合部１５ａ，１５ｂには夫々ネジ溝１８及びネジ溝１９ａ，１９ｂが形成されていることから、上記収納容器本体２５と上記キャップ１４を双方のネジ溝１８及び１９ａ，１９ｂを互いに係合させることにより密封させることができ、上記収納容器１０内にジュースやお茶など液体を密封状態で収容することができる。
【００３０】
請求項７記載の発明によれば、上記キャップ１４の上方に載置されたキャラクターや人形等の装飾物２０を上記収納容器１０の外部に露呈させることにより、上記収納容器１０に美的装飾効果を与えることができ、上記キャップ１４上面に設けられた係合部１５ａを上記キャップ係止部１７に係合させることにより、上記収納容器１０から収容物を取り出した使用後においても、上記キャップ１４に載置されたキャラクターや人形等の装飾物２０を上記収納容器１０の内部において陳列することができ上記収納容器１０を上記キャラクターや人形等装飾物２０の陳列容器として利用することができる。
【００３１】
請求項８記載の発明によれば、上記キャップ１４に載置されたキャラクターや人形等の装飾物２０を上記収納容器１０外部に露呈させ、上記収納容器１０に美的装飾効果を与えることができ、上記キャップ１４上面に設けられたネジ溝１９を上記キャップ係止部１７に設けられたネジ溝１８に係合させることにより、上記収納容器１０から飲料水等収容物を取り出した使用後においても、上記キャップ１４に載置されたキャラクターや人形等の装飾物２０を上記収納容器１０内部において陳列することができ上記収納容器１０を上記キャラクターや人形等装飾物２０の陳列容器として利用することができる。
【００３２】
請求項９記載の発明によれば、上記キャップ１４上面に設けられたネジ溝１９ａ，１９ｂを、上記キャップ係止部１７に設けられたネジ溝１８に係合することにより、上記装飾物２０を上記収納容器１０内に収納することができる。
【００３３】
請求項１０記載の発明によれば、上記接合部材３７と、上記キャップ状部材３８により構成される上記閉止部材１２を反転させた状態においても、上記孔部１１を閉止しうることから、上記閉止部材１２は片面のみならず両面どちらの面においても収納容器１１を閉止することができる。
【００３４】
請求項１１記載の発明によれば、上記キャップ状部材３８を取り外し、反転させて脚部３９として使用し脚部３９上に収納容器本体２５を固定し、脚部３９を介して収納容器１０を机等の上に置くことができる、置物として使用しうる収納容器１０が提供される。
【００３５】
請求項１２記載の発明によれば、接合部材３７を介して、取り外したキャップ状部材３８を反転させ、脚部３９として使用しうる収納容器１０が提供される。
【００３６】
請求項１３記載の発明によれば、キャップ状部材３８と収納容器本体２５により一体的な形状が形成される収納容器１０を提供することができる。
【００３７】
請求項１４記載の発明によれば、収納容器本体２５およびキャップ状部材３８により全体として球状に形成された収納容器１０を提供することができる。その結果、収納容器１０の外観が良好で購買意欲を惹起する収納容器１０を提供することができる。
【００３８】
請求項１５記載の発明によれば、上記収納容器１０は、上記接合部材３７を介して、容易かつ迅速に机等の上に置くことができる収納容器１０を提供することができる。
【００３９】
請求項１６記載の発明によれば、上記収納容器１０の内部に液体を収納し、キャップ状部材３８を脚部３９として使用した場合には内部の液体を外方から視認しうる収納容器１０を提供することができる。
【００４０】
請求項１７記載の発明によれば、上記収納容器１０の内部に収納した液体内に装飾体４９が封入され、上記装飾体４９を外部から鑑賞することができる収納容器１０を提供することができる。
【発明を実施するための最良の形態】
【００４１】
以下、添付図面に示す実施の形態に基づき、本発明にかかる収納容器１０を詳細に説明する。
【００４２】
本実施の形態に係る収納容器１０は、図１に示すように、内容物を収納又は排出しうる孔部１１と、この孔部１１を閉止しうる閉止部材１２を備えた収納容器１０であって、上記閉止部材１２は、上記孔部１１を閉止するために固定された状態から反転させた状態においても上記孔部１１を閉止しうるように構成されている。
また、図１、２に示すように、上記閉止部材１２には、上記孔部１１への係合部１５ａ，１５ｂが複数個所に形成されている。
また、図１に示すように、上記内容物は飲料水であると共に上記収納容器１０は飲料水が外部から視認可能に形成されている。
また、図１、２に示すように、上記閉止部材１２はキャップ１４であり、上記キャップ１４の上面側及び下面側には夫々、上記孔部１１への係合部１５ａ，１５ｂが形成されている。
また、上記孔部１１の周縁部１６には、上記収納容器１０の表面から突出するキャップ係止部１７が形成されている。また、上記キャップ係止部１７にはネジ溝１８が形成されていると共に上記キャップ１４の係合部１５には上記ネジ溝１８に係合しうるネジ溝１９が形成されている。また、上記キャップ１４の上面側には装飾物２０が設けられている。
また、上記キャップ１４は、閉止面部２１と、この閉止面部２１の周縁部において閉止面部２１の上下方向に延設されて、上記閉止面部２１を包囲するように形成された側面部２３とを有し、上記側面部２３の閉止面部２１下方側の内側面２４には、上記キャップ係止部１７のネジ溝１８に係合しうるネジ溝１９が形成されると共に、上記側面部２３の上記閉止面部２１の上方側の内側面２４にも上記キャップ係止部１７のネジ溝に係合しうるネジ溝１９が形成されている。
また、上記閉止面部２１の上面側には、上記孔部１１を介して収納容器１０内へ挿入しうる装飾物２０が設けられている。
また、図８に示すように、上記閉止部材１２は、上記孔部１１を閉止しうる閉止部３６を有する接合部材３７と、上記接合部材３７が着脱可能に固定されるキャップ状部材３８とが備えられている。
また、図６に示すように、上記キャップ状部材３８が上記収納容器本体２５から取り外され、上記接合部材３７を介して反転させた状態で上記収納容器本体２５に固定された場合には、上記収納容器本体２５の脚部３９となるように形成されている。
また、図１１に示すように、上記接合部材３７は、一面部にはキャップ状部材３８への着脱可能な固定部４１を有する一方、他面部には上記孔部１１の閉止部３６が形成されると共に上記孔部１１へ係合しうる係合部４３が設けられている。
また、図７に示すように、上記キャップ状部材３８は、上記収納容器本体２５の輪郭形状と連続する輪郭形状を有し、上記収納容器１０と上記閉止部材１２とが全体として一体となるように形成されている。
また、図７に示すように、上記収納容器１０は全体球体に形成され、上記収納容器本体２５は略半球状に形成されていると共に、上記キャップ状部材３８は、上記収納容器本体２５と共に球体を形成しうる形状に形成されている。
また、図６、図７に示すように、上記キャップ状部材３８は全体椀状に形成され、上記接合部材３７は短円筒状に形成されて上記キャップ状部材３８内に固定され、上記孔部１１には係合突部４４が形成され、上記接合部材３７は、上記孔部１１の係合突部４４に係合しうる係合突部４５を有すると共に上記キャップ状部材３８への固定突部４６を有し、上記キャップ状部材３８の外方部４８には上記接合部材３７の固定突部４６と係合しうる接合部材固定凹部４７が設けられ、上記接合部材３７が上記キャップ状部材３８内に固定された状態で、上記キャップ状部材３８が上記収納容器本体２５に固定されている場合には、上記係合部４３により上記孔部１１へ係合して孔部１１を閉止する一方、上記キャップ状部材３８が、上記収納容器本体２５から取り外された場合には、上記接合部材３７は、上記キャップ状部材３８内から取り外され、上記固定突部４６は上記キャップ状部材３８の外方部４８に形成された接合部材固定凹部４７に係合され、上記係合部４３を上記孔部１１に係合させて孔部１１を閉止した状態で上記収納容器本体２５に固定させうるように構成されている。
また、図６に示すように、上記内容物は液体であると共に、上記収納容器本体２５は外部から液体が視認可能に形成されている。また、上記液体内には装飾体４９が配置され、上記収納容器１０は上記装飾体４９が外部から視認可能に形成されている。
【実施例１】
【００４３】
本実施例において、収納容器１０には、図１に示すように、飲料水３５が収納されているが、飲料水３５が飲まれた後においては、装飾物２０が内部に配置されるように用いられる。
【００４４】
図１に示すように、収納容器１０は、略球状に形成された収納容器本体２５と、上記収納容器本体２５内部の内容物を収納又は排出しうる孔部１１と、上記孔部１１を閉止しうる閉止部材１２とにより構成されている。上記収納容器本体２５は、透明又は半透明のＰＥＴ素材により形成されている。本実施例にあっては、ＰＥＴにより形成されている場合を例に説明しているが、ガラス、プラスチック、アクリル等の素材による形成されていてもよい。
図４に示すように、上記孔部１１は、上記収納容器本体２５表面において、平面円形状に設けられている。上記孔部１１の周縁部１６には、上記収納容器１０の表面から上記収容容器１０の外方へ突出するキャップ係止部１７が一体に形成され、上記キャップ係止部１７は、上記収容容器本体２５に設けられた孔部１１の周縁においてリング状に突出形成されており、上記キャップ係止部１７の外側面部にはネジ溝１８が形成されている。
上記キャップ係止部１７は、上記収納容器本体２５の表面から収容容器１０の内方へ向かって突出して形成されていてもよい。
【００４５】
本実施例にあっては、図２及び図５に示すように、上記閉止部材１２は、合成樹脂性のキャップ１４により形成され、キャップ１４は、キャップ本体３１と、このキャップ本体３１上に固定された装飾物２０とにより構成されている。
キャップ本体３１は、外側面部３２が上方に向かって収縮するテーパを有する円環状の側面部２３と、この側面部２３内方において側面部２３の高さ方向の中間部に一体に形成された平面円形状の閉止面部２１とを有している。
上記閉止面部２１は、収納容器本体２５の孔部１１に設けられたキャップ係止部１７の外径寸法Ｌと同一の直径Ｗを有している。
また、上記閉止面部２１と側面部２３の下端部３３との間隔寸法Ｌ１及び、上記閉止面部２１と側面部２３の上端部３４との間隔寸法Ｌ２は上記キャップ係止部１７の高さ寸法Ｈと略同一に形成されている。
上記側面部２３の内側面２４には、キャップ係止部１７への係合部１５ａ，１５ｂを形成するネジ溝１９ａ，１９ｂが上記閉止面部２１の上方及び下方に、夫々、設けられている。
また、本実施例にあっては、上記側面部２３の上端部３４は、キャップ１４を反転させて孔部１１を閉止する場合に、球状に形成された収納容器２５の表面部に密接しうるように、内方に向かって下降し、収納容器２５の表面と略同一の曲率を有する凹面に形成され、上記側面部２３の下端部３３は平面に形成されている。
なお、上記閉止面部２１の上面および下面に、Ｏリングやゴムパッキンを挿入することにより、キャップ１４の装着時にキャップ係止部１７に 圧接させることにより、収納容器内に収納した収容物の漏れを防ぐように構成されてもよい。
【００４６】
図２に示すように、上記閉止面部２１の上面側には、台２９が設けられ、上記台２９の上方には装飾物２０が載置されている。上記装飾物２０は、例えば、人間、動物、花等のキャラクターの玩具であり、上記収容容器本体２５に収容しうる高さ寸法であって、その最大寸法は上記収納容器本体２５に形成された孔部１１の内径よりも狭い幅寸法に形成されている。
また、上記台２９は、キャップ係止部１７の厚さ寸法分、上記側面部２３内側面２４から内方へ離間して設けられている。
【００４７】
以下、添付図面に示す実施例に基づき、本発明に係る収納容器１０の作用について詳細に説明する。
上記収納容器１０は、ジュース・お茶・水等、主として液体飲料水３５の収納容器として用いられ、また飴玉や菓子等の固形物の収納容器としても用いられる。上記飲料水等は上記収容容器本体２５に設けられた孔部１１を介して注入及び排出が行われる。
上記収容容器本体２５内に収容された上記飲料水等は、上記キャップ１４により密封される。
【００４８】
上記キャップ１４の上面側には人間、動物、花等のキャラクター玩具の装飾物２０が設けられており、上記飲料水・菓子等が満たされている収納容器１０として店頭において陳列されている時には、図１、図２及び図４に示すように、上記キャップ１４の下面側に設けられたネジ溝１９ｂからなる上記係合部１５ｂを上記収容容器本体２５に設けられたキャップ係止部１７のネジ溝１８に係合することにより、キャップ１４により孔部１１が閉止され、上記キャップ１４上面に載置された上記装飾物２０を上記収容容器１０の外部に露呈していることから、装飾物２０により上記収納容器１０が装飾されており、購買者の関心を惹くことができる。
この場合、上記のように、上記閉止面部２１は、収納容器本体２５の孔部１１に設けられたキャップ係止部１７の外径寸法Ｌと同一の直径Ｗを有していることから、キャップ１４は収納容器１０の孔部１１を確実に閉止する。
【００４９】
また、上記収納容器本体２５内より、上記飲料水３５を飲み干した後は、図３に示すように、装飾物２０を上記孔部１１を介して、収納容器本体２５内へ挿入し、上記キャップ１４の上面側に設けられた上記係合部１５ａのネジ溝１９ａを上記収容容器本体２５に設けられたキャップ係止部１７のネジ溝１８に係合する。
この場合、上記のように、装飾物２０の最大寸法は孔部１１の内径よりも小さく形成されていることから、孔部１１を介して装飾物２０を収納容器２５の内部へ挿入することができる。また、上記閉止面部２１と上端部３４との間の間隔寸法Ｌ２は上記キャップ係止部１７の高さ寸法Ｈと同一に形成されていると共に、上記台２９は、キャップ係止部１７の厚さ寸法分、上記側面部２３内側面から内方へ離間して設けられていることから、上記キャップ係止部１７は側面部２３，２３と台２９との間に収納された形で係合部１５ａに係合して固定される。これにより、上記キャップ１４上面に載置された装飾物２０が上記収容容器１０の内部に収容される。
【００５０】
上記収納容器２５は透明なＰＥＴ素材により形成されていることから、外部から上記装飾物２０を収納容器２５の内方に視認することができる。
また、上記のように、上記キャップ１４の側面部２３の上端部３４は、球状に形成された収納容器２５の表面部に密接しうるように略同一の曲率を有する凹面に形成されていることから、収納容器２５の外表面に密接する。
上記側面部２３の下端部３３は平面に形成されていることから、収納容器２５内に装飾物２０を収納容器２５内に配置した状態で、机等の上に安定して載置させることができる。
また、上記のように、キャップ１４の側面部２３の上端部３４は、机等の上に載置した場合であっても、安定し収納容器２５を支持することができ、置物として使用することが可能となる。
【実施例２】
【００５１】
本発明にかかる第２の実施の態様を、図６に示す実施の形態に基づき、収納容器１０を詳細に説明する。
【００５２】
本実施の形態にかかる収納容器１０は、図７に示すように、通常時には上記キャップ状部材３８と上記収納容器本体２５により一体的に球状に形成されているが、図６に示すように、上記キャップ状部材３８を取り外し、反転させて脚部３９として使用し脚部３９上に収納容器本体２５を固定した場合にあっては、脚部３９を介して収納容器１０を机等の上に載置される置き物として用いられる。
【００５３】
図６に示すように、収納容器１０は、略半球状に形成された収納容器本体２５と、上記収納容器本体２５内部の内容物を収納又は排出しうる孔部１１と、上記孔部１１を閉止しうる閉止部材１２とにより構成されている。上記収納容器本体２５は、透明又は半透明のＰＥＴ素材により形成されている。本実施例にあっては、ＰＥＴにより形成されている場合を例に説明しているが、ガラス、プラスチック、アクリル等の素材による形成されていてもよい。
【００５４】
図８に示すように、上記孔部１１は、上記収納容器本体２５表面において、平面円形状に設けられている。上記孔部１１の周縁部５４には、上記収納容器１０の表面から上記収容容器１０の外方へ突出する係合突部４４が一体に形成され、上記係合突部４４は、上記収容容器本体２５に設けられた孔部１１の周縁においてリング状に突出形成されており、上記係合突部４４の外側面部にはネジ溝５５が形成されている。
【００５５】
本実施例にあっては、図８に示すように、上記閉止部材１２は、上記孔部１１を閉止しうる閉止部３６を有する接合部材３７と、上記接合部材３７が着脱可能に固定されるキャップ状部材３８とにより構成されている。
図９に示すように、上記接合部材３７は、略短円筒状に形成され、略円筒状の係合突部４５と、上記係合突部４５と一体に連接され、上記係合突部４５の径寸法よりも小さい径寸法により形成される略円筒状の固定突部４６により形成されている。
上記略円筒状の係合突部４５の内方において、上記係合突部４５と上記固定突部４６との接合部分に一体に形成された平面円形状の閉止面部５０とを有する。
【００５６】
上記閉止面部５０は、図９に示すように、上記収納容器本体２５の孔部１１に設けられた係合突部４４の外径寸法Ｐと同一の直径Ｑを有している。
また、上記閉止面部５０に設けられた係合突部４５の高さ寸法Ｒは、上記収納容器本体２５の係合突部４４の高さ寸法Ｓと略同一に形成されている。
【００５７】
図１１に示すように、上記短円筒状の接合部材３７の他面部の内側面５１には、上記収納容器本体２５の係合突部４４への係合突部４５を形成するネジ溝５２が設けられている。
図９に示すように、上記収納容器本体２５の係合突部４４の周縁部５４には、上記接合部材３７の係合突部４５に設けられたネジ溝５２と係合しうるネジ溝５５が設けられている。
なお、上記閉止面部５０に、Ｏリングやゴムパッキンを挿入することにより、接合部材３７を上記収納容器本体２５に装着時に係合突部４４に圧接させることにより、収納容器１０内に収納した収容物の漏れを防ぐように構成されてもよい。
【００５８】
図７に示すように、上記キャップ状部材３８の外方部４８は、上記収納容器本体２５の表面と略同一の曲率を有する凸面に形成され、上記閉止部材１２を構成する上記キャップ状部材３８は全体椀状に形成され、上記収納容器本体２５は略半球状に形成され、上記キャップ状部材３８は、上記収納容器本体２５と共に略球体を形成しうるように構成されている。
なお、本実施の態様においては、上記キャップ状部材３８と上記収納容器本体２５により一体的な形状が形成されている例として上記キャップ状部材３８は、上記収納容器本体２５と共に、略球体に形成されている場合を示しているが、上記キャップ状部材３８と、上記収納容器本体２５とにより形成される形状は、紡錘形や方形等であってもよい。
【００５９】
図１０に示すように、上記椀状のキャップ状部材３８の外方部４８の上端部５９には、上記接合部材３８の一面部に設けられた固定部４１と係合しうる接合部材固定凹部４７が設けられている。
上記椀状のキャップ状部材３８の内方部５６の上記上端部５９裏面には、上記接合部材３７の一面部に設けられた固定部４１と係合しうる接合部材固定凹部５３が設けられている。
上記接合部材固定凹部４７及び接合部材固定凹部５３は、略短円筒が同心円状に所定の間隔をあけて連接され、内部が空洞状の略短円筒の溝状に形成されている。
【００６０】
図９に示すように、上記接合部材３７の一面部に設けられた固定突部４６は、上記キャップ状部材３８に夫々設けられた略短円筒溝状の上記接合部材固定凹部４７及び接合部材固定凹部５３と略同一の長さ寸法、及び径寸法を有する短円筒状に形成される。
上記椀状のキャップ状部材３８の下端部５８は平面状に形成されている。
本実施例においては、上記収納容器本体２５内には水が封入されると共に小径の球体等の装飾物が水の中に浮遊する状態で配置されている。
【００６１】
以下、添付図面に示す実施例に基づき、本発明に係る収納容器１０の作用について詳細に説明する。
上記収納容器１０は、主として液体及び液体内に装飾体４９を配置した収納容器１０として用いられ、上記液体及び装飾体４９等は上記収容容器本体２５に設けられた孔部１１を介して収納及び排出が行われる。
図６、図７に示すように、上記収納容器本体２５内に収納された上記装飾体４９等は、上記閉止部材１２により密封されている。
【００６２】
上記キャップ状部材３８と上記収納容器本体２５により一体的に略球体に形成され、上記収納容器本体２５内には、液体や装飾体４９等が満たされている収納容器１０として玩具売り場やゲームセンターの遊戯具内において陳列されているときには、図７に示すように、上記キャップ状部材３８の内方部５６に設けられた接合部材固定凹部５３を上記接合部材３７の一面部に設けられた固定突部４６に係合させ、上記接合部材３７の他面部に設けられた上記係合突部４５を、上記収納容器本体２５に設けられた係合突部４４に係合させることにより、上記キャップ状部材３８と上記収納容器本体２５とにより、上記収納容器１０は略全体球体に形成された収納容器１０を提供することができ、外観が良好で購買意欲を惹起する収納容器１０を提供することができる。
この場合、上記のように、上記閉止面部５０は、収納容器本体２５の孔部１１に設けられた係合突部４４の外径寸法Ｐと同一の直径Ｑを有しており、上記接合部材３７の上記係合突部４５には、ネジ溝５２が設けられ、上記収納容器本体２５の係合突部４４には、上記ネジ溝５２と係合しうるネジ溝５５が設けられていることから、上記接合部材３７を上記収納容器本体２５に係合することにより、上記接合部材３７は収納容器１０の孔部１１を確実に閉止する。
【００６３】
また、図１２に示すように、上記キャップ状部材３８の外方部４８に設けられた上記接合部材固定凹部４７を上記接合部材３７の一面部に設けられた上記固定突部４６に係合させ、上記接合部材３７の他面部に設けられた上記係合突部４５を、上記収納容器本体２５に設けられた係合突部４４に係合させることにより、上記椀状のキャップ状部材３８の下端部５８を載置面に載置させ、上記収納容器本体２５の脚部３９として用いることができ、上記キャップ状部材３８の下端部５８は平面に形成されていることから、上記収納容器本体２５内に液体や、装飾体４９を配置した状態で、机等の上に安定して載置させることができる。
【００６４】
図６、図７に示すように、上記収納容器２５はＰＥＴ素材等の透明素材により形成されていることから、外部から上記収納容器本体２５内に配置された液体や装飾体４９を収納容器２５の内方に視認することができる。
【産業上の利用可能性】
【００６５】
本件発明は、収納容器に係り、特に、使用前は収納容器の装飾機能を有し、収納容器内の取り出し後は、装飾物の陳列容器として使用できる収納容器及び、キャップ状部材を反転させることにより容易かつ迅速に机等の上に置くことができ、全体として球状に形成され、外観が良好で購買意欲を惹起する収納容器に適用できるものである。
【図面の簡単な説明】
【００６６】
【図１】図１は、本発明に係る収納容器の装飾物を収納容器外に露呈させた閉止部材により通常の閉止状態を示す全体側面図である。
【図２】図２は、本発明に係る閉止部材であるキャップを示す側面図である。
【図３】図３は、本発明に係る収納容器の装飾物を収納容器内に収容させた実施形態を示す全体側面図である。
【図４】図４は、本発明に係る収納容器のキャップを取り外した実施形態を示す側面図である。
【図５】図５は、本発明に係る収納容器のキャップの実施形態を示す平面図である。
【図６】図６は、本発明に係るキャップ状部材を脚部として使用することにより載置面に載置した状態を示す収納容器の第２の実施形態の全体斜視図である。
【図７】図７は、図６のA-A線断面であって、本発明に係る収納容器が、キャップ状部材と収納容器本体とにより略全体球状に形成されている実施形態を示す図である。
【図８】図８は、図６のA-A線断面であって、本発明にかかる収納容器を略球状に形成する場合において、接合部材をキャップ状部材に係合させた状態で、収納容器本体から離間させた状態における実施形態を示す図である。
【図９】図９は、図６のA-A線断面であって、本発明にかかる収納容器を略球状に形成する場合において、接合部材、キャップ状部材及び収納容器本体を夫々離間させた状態における実施形態を示す図である。
【図１０】図１０は、図６のA-A線断面であって、本発明にかかる収納容器に脚部を形成する場合において、接合部材、キャップ状部材及び収納容器本体を夫々離間させた状態における実施形態を示す図である。
【図１１】図１１は、図６のA-A線断面であって、本発明にかかる収納容器に脚部を形成する場合において、接合部材をキャップ状部材に係合させた状態で、収納容器本体から離間させた状態における実施形態を示す図である。
【図１２】図１２は、図６のA-A線断面であって、本発明に係るキャップ状部材を脚部として使用することにより載置面に載置した状態における実施形態を示す図である。
【符号の説明】
【００６７】
１０    収納容器
１１    孔部
１２    閉止部材
１４    キャップ
１５ａ  係合部
１５ｂ  係合部
１６    周縁部
１７    キャップ係止部
１８    ネジ溝
１９ａ  ネジ溝
１９ｂ  ネジ溝
２０    装飾物
２１    閉止面部
２２    周縁部
２３    側面部
２４    内側面
２５    収納容器本体
２９    台
３１    キャップ本体
３２    外側面部
３３    下端部
３４    上端部
３５    飲料水
３６    閉止部
３７    接合部材
３８    キャップ状部材
３９    脚部
４１    固定部
４３    係合部
４４    係合突部
４５    係合突部
４６    固定突部
４７    接合部材固定凹部
４８    外方部
４９    装飾体
５０    閉止面部
５１    内側面
５２    ネジ溝
５３    接合部材固定凹部
５４    周縁部
５５    ネジ溝
５６    内方部
５８    下端部
５９    上端部 
【図１】
2005306479.tif 000002
【図２】
2005306479.tif 000003
【図３】
2005306479.tif 000004
【図４】
2005306479.tif 000005
【図５】
2005306479.tif 000006
【図６】
2005306479.tif 000007
【図７】
2005306479.tif 000008
【図８】
2005306479.tif 000009
【図９】
2005306479.tif 000010
【図１０】
2005306479.tif 000011
【図１１】
2005306479.tif 000012
【図１２】
2005306479.tif 000013
【手続補正書】
【提出日】平成17年5月31日(2005.5.31)
【手続補正１】
【補正対象書類名】特許請求の範囲
【補正対象項目名】請求項３
【補正方法】変更
【補正の内容】
【請求項３】
上記内容物は飲料水であると共に、上記収納容器は飲料水が外部から視認可能に形成されていることを特徴とする請求項１又は２記載の収納容器。
【手続補正２】
【補正対象書類名】特許請求の範囲
【補正対象項目名】請求項４
【補正方法】変更
【補正の内容】
【請求項４】
上記閉止部材はキャップであり、上記キャップの上面側及び下面側には夫々上記孔部への係合部が形成されていることを特徴とする請求項１又は２記載の収納容器。
【手続補正３】
【補正対象書類名】特許請求の範囲
【補正対象項目名】請求項５
【補正方法】変更
【補正の内容】
【請求項５】
上記孔部の周縁部には、上記収納容器本体の表面から突出するキャップ係止部が形成されていることを特徴とする請求項１、２又は４記載の収納容器。
【手続補正４】
【補正対象書類名】特許請求の範囲
【補正対象項目名】請求項６
【補正方法】変更
【補正の内容】
【請求項６】
上記キャップ係止部にはネジ溝が形成されていると共に、上記キャップの係合部には上記ネジ溝に係合しうるネジ溝が形成されていることを特徴とする請求項５記載の収納容器。
【手続補正５】
【補正対象書類名】特許請求の範囲
【補正対象項目名】請求項７
【補正方法】変更
【補正の内容】
【請求項７】
上記キャップの上面側には装飾物が設けられていることを特徴とする請求項４，５又は，６記載の収納容器。
【手続補正６】
【補正対象書類名】特許請求の範囲
【補正対象項目名】請求項８
【補正方法】変更
【補正の内容】
【請求項８】
上記キャップは、閉止面部と、この閉止面部の周縁部において閉止面部の上下方向に延設されて、上記閉止面部を包囲するように形成された側面部とを有し、
上記側面部の閉止面部下方側の内側面には、上記キャップ係止部のネジ溝に係合しうるネジ溝が形成されると共に、上記側面部の上記閉止面部の上方側の内側面にも上記キャップ係止部のネジ溝に係合しうるネジ溝が形成されていることを特徴とする請求項４，５，６又は７記載の収納容器。
【手続補正７】
【補正対象書類名】特許請求の範囲
【補正対象項目名】請求項９
【補正方法】変更
【補正の内容】
【請求項９】
上記閉止面部の上面側には、上記孔部を介して収納容器内へ挿入しうる装飾物が設けられていることを特徴とする請求項８記載の収納容器。
【手続補正８】
【補正対象書類名】特許請求の範囲
【補正対象項目名】請求項１７
【補正方法】変更
【補正の内容】
【請求項１７】
上記液体内には装飾体が配置され、上記収納容器本体は上記装飾体が外部から視認可能に形成されていることを特徴とする請求項１６記載の収納容器。
【手続補正９】
【補正対象書類名】明細書
【補正対象項目名】０００６
【補正方法】変更
【補正の内容】
【０００６】
このような技術的課題解決のため、請求項１の記載の発明にあっては、内容物を収納又は排出しうる孔部１１を有する収納容器本体２５と、この孔部１１を閉止しうる閉止部材１２を備えた収納容器１０であって、上記閉止部材１２は、上記孔部１１を閉止するために固定された状態から反転させた状態において上記孔部１１を閉止しうるように構成されていること特徴とする収納容器１０に関するものである。
したがって、請求項１記載の発明にあっては、上記閉止部材１２を反転させた場合にあっても、上記収納容器本体２５に設けられた孔部１１を閉止しうる。
【手続補正１０】
【補正対象書類名】明細書
【補正対象項目名】００１０
【補正方法】変更
【補正の内容】
【００１０】
請求項５記載の発明は、上記孔部１１の周縁部１６には、上記収納容器本体２５の表面から突出するキャップ係止部１７が形成されていることを特徴とする請求項１、２又は４記載の収納容器１０に関するものである。
したがって、請求項５記載の発明にあっては、上記キャップ１４を上記キャップ係止部１７に係合することにより、収納容器１０を閉止しうる。
【手続補正１１】
【補正対象書類名】明細書
【補正対象項目名】００１１
【補正方法】変更
【補正の内容】
【００１１】
請求項６記載の発明は、上記キャップ係止部１７にはネジ溝１８が形成されていると共に上記キャップ１４の係合部１５ａ，１５ｂには上記ネジ溝１８に係合しうるネジ溝１９ａ，１９ｂが形成されていることを特徴とする請求項５記載の収納容器１０に関するものである。
したがって、請求項６記載の発明にあっては、キャップ１４のネジ溝１９をキャップ係止部１７のネジ溝１９に係合させて孔部１１を閉止することができる。
【手続補正１２】
【補正対象書類名】明細書
【補正対象項目名】００１２
【補正方法】変更
【補正の内容】
【００１２】
請求項７記載の発明は、上記キャップ１４の上面側には装飾物２０が設けられていることを特徴とすることを特徴とする請求項４，５又は６記載の収納容器１０に関するものである。
したがって、請求項７記載の発明にあっては、上記キャップ１４に載置されたキャラクターや人形等の装飾物２０を上記収納容器１０外部に露呈させ、上記収納容器１０に美的装飾効果与えることができる。
また、上記キャップ１４上面に設けられた係合部１５を上記穴に係合させることにより、上記収納容器１０から飲料水等収容物を取り出した使用後においても、上記キャップ１４に載置されたキャラクターや人形等の装飾物２０を上記収納容器１０内部において配置することができ、上記収納容器１０を上記キャラクターや人形等の陳列容器として、利用することができる。
【手続補正１３】
【補正対象書類名】明細書
【補正対象項目名】００２２
【補正方法】変更
【補正の内容】
【００２２】
請求項１７記載の発明は、上記液体内には装飾体４９が配置され、上記収納容器本体２５は上記装飾体４９が外部から視認可能に形成されていることを特徴とする請求項１６記載の収納容器１０に関するものである。
したがって、請求項１７記載の発明にあっては、上記収納容器本体２５の内部に収納した液体内に装飾体４９が封入された場合にあっても、上記収納容器本体２５の内部の装飾体４９を外部から鑑賞することができる。
【手続補正１４】
【補正対象書類名】明細書
【補正対象項目名】００４１
【補正方法】変更
【補正の内容】
【００４１】
本実施の形態に係る収納容器１０は、図１に示すように、内容物を収納又は排出しうる孔部１１を有する収納容器本体２５と、この孔部１１を閉止しうる閉止部材１２を備えた収納容器１０であって、上記閉止部材１２は、上記孔部１１を閉止するために固定された状態から反転させた状態において上記孔部１１を閉止しうるように構成されている。
また、図１、２に示すように、上記閉止部材１２には、上記孔部１１への係合部１５ａ，１５ｂが複数個所に形成されている。
また、図１に示すように、上記内容物は飲料水であると共に上記収納容器１０は飲料水が外部から視認可能に形成されている。
また、図１、２に示すように、上記閉止部材１２はキャップ１４であり、上記キャップ１４の上面側及び下面側には夫々、上記孔部１１への係合部１５ａ，１５ｂが形成されている。
また、上記孔部１１の周縁部１６には、上記収納容器本体２５の表面から突出するキャップ係止部１７が形成されている。また、上記キャップ係止部１７にはネジ溝１８が形成されていると共に上記キャップ１４の係合部１５には上記ネジ溝１８に係合しうるネジ溝１９が形成されている。また、上記キャップ１４の上面側には装飾物２０が設けられている。
また、上記キャップ１４は、閉止面部２１と、この閉止面部２１の周縁部において閉止面部２１の上下方向に延設されて、上記閉止面部２１を包囲するように形成された側面部２３とを有し、上記側面部２３の閉止面部２１下方側の内側面２４には、上記キャップ係止部１７のネジ溝１８に係合しうるネジ溝１９が形成されると共に、上記側面部２３の上記閉止面部２１の上方側の内側面２４にも上記キャップ係止部１７のネジ溝に係合しうるネジ溝１９が形成されている。
また、上記閉止面部２１の上面側には、上記孔部１１を介して収納容器１０内へ挿入しうる装飾物２０が設けられている。
また、図８に示すように、上記閉止部材１２は、上記孔部１１を閉止しうる閉止部３６を有する接合部材３７と、上記接合部材３７が着脱可能に固定されるキャップ状部材３８とが備えられている。
また、図６に示すように、上記キャップ状部材３８が上記収納容器本体２５から取り外され、上記接合部材３７を介して反転させた状態で上記収納容器本体２５に固定された場合には、上記収納容器本体２５の脚部３９となるように形成されている。
また、図１１に示すように、上記接合部材３７は、一面部にはキャップ状部材３８への着脱可能な固定部４１を有する一方、他面部には上記孔部１１の閉止部３６が形成されると共に上記孔部１１へ係合しうる係合部４３が設けられている。
また、図７に示すように、上記キャップ状部材３８は、上記収納容器本体２５の輪郭形状と連続する輪郭形状を有し、上記収納容器１０と上記閉止部材１２とが全体として一体となるように形成されている。
また、図７に示すように、上記収納容器１０は全体球体に形成され、上記収納容器本体２５は略半球状に形成されていると共に、上記キャップ状部材３８は、上記収納容器本体２５と共に球体を形成しうる形状に形成されている。
また、図６、図７に示すように、上記キャップ状部材３８は全体椀状に形成され、上記接合部材３７は短円筒状に形成されて上記キャップ状部材３８内に固定され、上記孔部１１には係合突部４４が形成され、上記接合部材３７は、上記孔部１１の係合突部４４に係合しうる係合突部４５を有すると共に上記キャップ状部材３８への固定突部４６を有し、上記キャップ状部材３８の外方部４８には上記接合部材３７の固定突部４６と係合しうる接合部材固定凹部４７が設けられ、上記接合部材３７が上記キャップ状部材３８内に固定された状態で、上記キャップ状部材３８が上記収納容器本体２５に固定されている場合には、上記係合部４３により上記孔部１１へ係合して孔部１１を閉止する一方、上記キャップ状部材３８が、上記収納容器本体２５から取り外された場合には、上記接合部材３７は、上記キャップ状部材３８内から取り外され、上記固定突部４６は上記キャップ状部材３８の外方部４８に形成された接合部材固定凹部４７に係合され、上記係合部４３を上記孔部１１に係合させて孔部１１を閉止した状態で上記収納容器本体２５に固定させうるように構成されている。
また、図６に示すように、上記内容物は液体であると共に、上記収納容器本体２５は外部から液体が視認可能に形成されている。また、上記液体内には装飾体４９が配置され、上記収納容器１０は上記装飾体４９が外部から視認可能に形成されている
【手続補正書】
【提出日】平成17年8月30日(2005.8.30)
【手続補正１】
【補正対象書類名】特許請求の範囲
【補正対象項目名】全文
【補正方法】変更
【補正の内容】
【特許請求の範囲】
【請求項１】
内容物を収納又は排出しうる孔部を有する収納容器本体と、上記内容物が収納されている場合に上記孔部を閉止しうる第一の閉止面部と、上記第一の閉止面部の背面部側に設けられた第二の閉止面部を有する閉止部材を備えた収納容器であって、  上記閉止部材は、上記内容物が上記孔部から排出され、収納容器本体が上記孔部が下方に向かうように配置された場合には、上記第二の閉止面部により上記孔部を閉止すると共に、上記収納容器本体を載置面上に支持しうる脚部として使用されるように構成されていること特徴とする収納容器。
【請求項２】
上記内容物は飲料水であると共に、上記収納容器本体は飲料水が視認可能に形成されていることを特徴とする請求項１記載の収納容器。
【請求項３】
上記閉止部材は上記孔部に被覆されるキャップであり、上記キャップの下面側には上記第一の閉止面部が形成されると共に上記キャップの上面側には上記第二の閉止面部が形成され、上面側及び下面側には夫々上記孔部への係合部が形成されていることを特徴とする請求項１記載の収納容器。
【請求項４】
上記孔部の周縁部には、上収納容器本体の表面から突出し、上記キャップを固定しうるキャップ係止部が形成されていることを特徴とする請求項３記載の収納容器。  
【請求項５】
上記キャップは、上記第一の閉止面部及び上記第二の閉止面部の周縁部において上下方向に延設され、上記第一の閉止面部及び上記第二の閉止面部を、夫々、包囲するように形成された側面部を有することを特徴とする請求項３又は４記載の収納容器。
【請求項６】
上記収納容器本体は透明に形成され、上記第二の閉止面部には、上記孔部を介して収納容器本体内へ挿入しうる装飾物が設けられており、上記収納容器本体内に収納されている内容物を上記孔部から排出した場合には、上記装飾物を上記収納容器内に挿入して配置し、上記収納容器本体を上記閉止部材を脚部として使用して載置面上に載置しうるように構成されていることを特徴とする請求項１、３又は５記載の収納容器。
【請求項７】
内容物を収納又は排出しうる孔部を有する収納容器本体と、上記孔部を閉止しうる閉止部材と、上記閉止部材に接合されて上記収納容器本体に取り付けられ、上記閉止部材及び収納容器本体を被覆すると共に、上記収納容器本体を載置面上に支持しうる脚部として使用されうる被覆部材とを備えたことを特徴とする収納容器。
【請求項８】
上記閉止部材は、一面部には被覆部材への着脱可能な固定部を有する一方、他面部には上記孔部の閉止部が形成されると共に上記孔部へ係合しうる接合部が設けられていることを特徴とする請求項７記載の収納容器。
【請求項９】
上記被覆部材は、外表面部が上記収納容器本体の外表面部と連続して同一平面を形成しうるように構成され、上記収納容器本体と上記被覆部材とが全体として一体となるように形成されていることを特徴とする請求項７記載の収納容器。
【請求項１０】
上記収納容器は全体球体に形成され、上記収納容器本体は略半球状に形成されていると共に、上記被覆部材は上記収納容器本体と共に球体を形成しうるように椀状に形成され、上記閉止部材は短円筒状に形成されていることを特徴とする請求項７記載の収納容器。  
【請求項１１】
上記収納容器本体の上記孔部の周縁部には係合突部が形成され、上記閉止部材は、上記孔部の上記係合突部を抱持して係合しうる接合部及び上記被覆部材を閉止部材に固定しうる固定突部を有し、上記被覆部材は、上記収納容器本体と当接する端部には開口部が形成され、上記開口部の高さ方向における反対側端部には、上記閉止部材の上記固定突部と係合しうる固定孔部と、上記接合部を抱持して係合しうる閉止部材固定部とを有し、上記閉止部材の上記接合部が上記収納容器本体の上記孔部の係合突部に係合することにより上記閉止部材が上記孔部を閉止する一方、上記閉止部材の上記固定突部が上記被覆部材の固定孔部に係合すると共に、上記接合部が上記閉止部材固定部に係合することにより、上記被覆部材が上記閉止部材に固定されて上記閉止部材及び収納容器本体を被覆し、上記閉止部材の固定突部と上記被覆部材の固定孔部との係合状態を解除すると共に上記閉止部材の接合部と上記閉止部材固定部との係合を解除して上記被覆部材を閉止部材から取り外し、上記被覆部材を、上記開口部が上記収納容器本体から離間するように反転させて配置して、上記被覆部材の外表面部側から上記固定孔部へ上記閉止部材の固定突部を挿通させて、上記被覆部材を上記閉止部材を介して上記収納容器本体に固定させることにより、上記被覆部材を脚部として使用して上記収納容器本体を載置面上に支持させ、収納容器本体を展示するように構成されていることを特徴とする請求項７記載の収納容器。
【請求項１２】
上記内容物は液体であると共に、上記収納容器本体は外部から液体が視認可能に形成されていることを特徴とする請求項７記載の収納容器。
【請求項１３】
上記液体内には装飾体が配置され、上記収納容器本体は上記装飾体が外部から視認可能に形成されていることを特徴とする請求項７記載の収納容器。
【手続補正２】
【補正対象書類名】明細書
【補正対象項目名】全文
【補正方法】変更
【補正の内容】
【発明の詳細な説明】
【技術分野】
【０００１】  本発明は、収納容器に係り、特に、使用後に装飾物の陳列容器として使用できる収納容器に関する。
【背景技術】
【０００２】  従来から、飲料水などの液体を充填したＰＥＴボトルの蓋体に被せ使用するＰＥＴボトルの飾りカバーキャップ等が存在する（特許文献１、特許文献２）。【０００３】  また、瓶内に船などを納めて、瓶全体をインテリアとして飾るいわゆるボトルシップが存在する（特許文献３）。【特許文献１】特開２００１−２５３４６１号
【特許文献２】実登３０６６７０９号
【特許文献３】実開平０２−１０９７００号
【発明の開示】
【発明が解決しようとする課題】
【０００４】ここで、特許文献１、２にかかる発明は、市販のＰＥＴボトルのキャップに人形等が載置された飾りキャップを係合することにより、上記ボトルのキャップに識別力を付して、他人のボトルと見分けがつくようにしたものであるが、上記ＰＥＴボトルの飲料後においては、上記ボトルキャップは用を成したものとして、廃棄される。【０００５】  また、特許文献３にかかる考案は、瓶の中に帆船など模型を入れた陳列容器であり、瓶の中に帆船等を入れる前においては、上記帆船は、別途保存してあるものであり、瓶の蓋部分においては、特に装飾がなされていない。【０００６】  そこで、本発明が解決しようとする課題は、商品として販売された形態から一部を変形させることにより装飾効果のある置物を容易に形成することができ、商品としての収納容器を、商品流通販売時から購入後においても効率的に利用することができる収納容器を提供することにある。
【課題を解決するための手段】
【０００７】このような技術的課題解決のため、請求項１の記載の発明にあっては、内容物３５を収納又は排出しうる孔部１１を有する収納容器本体２５と、上記内容物３５が収納されている場合に上記孔部１１を閉止しうる第一の閉止面部２１ａと、上記第一の閉止面部２１ａの背面部側に設けられた第二の閉止面部２１ｂを有する閉止部材１２を備えた収納容器１０であって、上記閉止部材１０は、上記内容物３５が上記孔部１１から排出され、収納容器本体２５が上記孔部１１が下方に向かうように配置された場合には、上記第二の閉止面部２１ｂにより上記孔部１１を閉止すると共に、上記収納容器本体２５を載置面６３上に支持しうる脚部６４として使用されるように構成されていること特徴とする。【０００８】請求項２記載の発明にあっては、上記内容物３５は飲料水３５であると共に、上記収納容器１０は飲料水３５が外部から視認可能に形成されていることを特徴とする。請求項３記載の発明にあっては、上記閉止部材１２は上記孔部１１に被覆されるキャップ１４であり、上記キャップ１４の下面側には上記第一の閉止面部２１ａが形成されると共に上記キャップ１４の上面側には上記第二の閉止面部２１ｂが形成され、上面側及び下面側には夫々上記孔部１１への係合部１５ａ，１５ｂが形成されていることを特徴とする。【０００９】請求項４記載の発明にあっては、上記孔部１１の周縁部には、上収納容器本体２５の表面から突出し、上記キャップ１４を固定しうるキャップ係止部１７が形成されていることを特徴とする。  請求項５記載の発明にあっては、上記キャップ１４は、上記第一の閉止面部２１ａ及び上記第二の閉止面部２１ｂの周縁部において上下方向に延設され、上記第一の閉止面部２１ａ及び上記第二の閉止面部２１ｂを、夫々、包囲するように形成された側面部２３を有することを特徴とする。【００１０】請求項６記載の発明にあっては、上記収納容器本体２５は透明に形成され、第二の閉止面部２１ａには、上記孔部１１を介して収納容器本体２５内へ挿入しうる装飾物２０が設けられており、上記収納容器本体２５内に収納されている内容物３５を上記孔部１１から排出した場合には、上記装飾物２０を上記収納容器本体２５内に挿入して配置し、上記収納容器本体２５を上記閉止部材１２を脚部６４として使用して載置面６３上に載置しうるように構成されていることを特徴とする。【００１１】請求項７記載の発明にあっては、内容物３５を収納又は排出しうる孔部１１を有する収納容器本体２５と、上記孔部１１を閉止しうる閉止部材３７と、上記閉止部材３７に接合されて上記収納容器本体２５に取り付けられ、上記閉止部材３７及び収納容器本体２５を被覆すると共に、上記収納容器本体２５を載置面３６上に支持しうる脚部３９として使用されうる被覆部材３８とを備えたことを特徴とする。【００１２】請求項８記載の発明にあっては、上記閉止部材３７は、一面部には被覆部材３８への着脱可能な固定部４１を有する一方、他面部には上記孔部１１の閉止部５０が形成されると共に上記孔部１１へ係合しうる接合部４３が設けられていることを特徴とする。請求項９記載の発明にあっては、上記被覆部材３８は、外表面部６１が上記収納容器本体２５の外表面部���２と連続して同一平面を形成しうるように構成され、上記収納容器本体２５と上記被覆部材３８とが全体として一体となるように形成されていることを特徴とする。【００１３】請求項１０記載の発明にあっては、上記収納容器７０は全体球体に形成され、上記収納容器本体２５は略半球状に形成されていると共に、上記被覆部材３８は上記収納容器本体２５と共に球体を形成しうるように椀状に形成され、上記閉止部材３７は短円筒状に形成されていることを特徴とする。  【００１４】請求項１１記載の発明にあっては、上記収納容器本体２５の上記孔部１１の周縁部には係合突部４４が形成され、上記閉止部材３７は、上記孔部１１の上記係合突部４４を抱持して係合しうる接合部４３及び上記被覆部材３８を閉止部材３７に固定しうる固定突部４６を有し、上記被覆部材３８は、上記収納容器本体２５と当接する端部には開口部６０が形成され、上記開口部６０の高さ方向における反対側端部には、上記閉止部材３７の上記固定突部４６と係合しうる固定孔部４７と、上記接合部４３を抱持して係合しうる閉止部材固定部５３とを有し、上記閉止部材３７の上記接合部４３が上記収納容器本体２５の上記孔部１１の係合突部４４に係合することにより上記閉止部材３７が上記孔部１１を閉止する一方、上記閉止部材３７の上記固定突部４６が上記被覆部材３８の固定孔部４７に係合すると共に、上記接合部４３が上記閉止部材固定部５３に係合することにより、上記被覆部材３８が上記閉止部材３７に固定されて上記閉止部材３７及び収納容器本体２５を被覆し、上記閉止部材３７の固定突部４６と上記被覆部材３８の固定孔部４７との係合状態を解除すると共に上記閉止部材３７の接合部４３と上記閉止部材固定部５３との係合を解除して上記被覆部材３８を閉止部材３７から取り外し、上記被覆部材３８を、上記開口部６０が上記収納容器本体２５から離間するように反転させて配置して、上記被覆部材３８の外表面部６１側から上記固定孔部４７へ上記閉止部材３７の固定突部４６を挿通させて、上記被覆部材３８を上記閉止部材３７を介して上記収納容器本体２５に固定させることにより、上記被覆部材３８を脚部として使用して上記収納容器本体２５を載置面上に支持させ、収納容器本体２５を展示するように構成されていることを特徴とする。【００１５】請求項１２記載の発明にあっては、上記内容物は液体であると共に、上記収納容器本体は外部から液体が視認可能に形成されていることを特徴とする。請求項１３記載の発明にあっては、上記液体内には装飾体が配置され、上記収納容器は上記装飾体が外部から視認可能に形成されていることを特徴とする。
【発明の効果】
【００１６】  請求項１〜５記載の発明にあっては、収納容器本体に収納されている内容物が孔部から排出され、収納容器本体が上記孔部が下方に向かうように配置された場合には、上記第二の閉止面部により上記孔部を閉止すると共に、上記収納容器本体を載置面上に支持しうる脚部として使用されるように構成されていることから、収納容器本体内に内容物が収納された状態で商品として販売され、購入後に内容物を孔部から排出させた後においては、上記閉止部材を脚部として使用することにより上記収納容器本体を孔部が下方に向く状態で閉止部材により孔部を閉止しつつ載置面上に収納容器本体を支持した状態で載置することができる。【００１７】また、請求項７〜１３記載の発明にあっては、内容物を収納又は排出しうる孔部を有する収納容器本体と、この孔部を閉止しうる閉止部材と、上記閉止部材に接合されて上記収納容器本体に取り付けられ、上記閉止部材及び収納容器本体を被覆すると共に、上記収納容器本体を載置面上に支持しうる脚部として使用されうる被覆部材とを備え、被覆部材を脚部として使用することにより、載置面上に収納容器本体を支持した状態で載置することができる。【００１８】  その結果、請求項１〜１３記載の発明にあっては、需要者が商品としての収納容器を購入した後に、商品として販売された際の形態の一部を変形させることにより装飾効果のある置物を容易に形成することができる収納容器を提供することができ、商品としての収納容器を、商品の購入後においても装飾品として利用することが可能となる。【００１９】  また、請求項６記載の発明にあっては、特に、内容物が収納されている場合には孔部を閉止していない第二の閉止面部に固定された装飾物が外方に配置されると共に、内容物が排出された場合には収納容器内に装飾物が挿入配置された状態で収納容器本体を載置面上に支持することができることから、商品販売時には上記装飾物により顧客の関心を引き需要を高めることができると共に、購入後、内容物を排出した後には、上記装飾物を収納容器内に挿入配置して、外部から透明な収納容器本体を介して上記装飾物を鑑賞することができ、飲料水の収納容器を容易に装飾効果のあるインテリア品に変形させることができ、商品としての収納容器を商品販売時のみならず購入後においても効果的に使用することができる。【００２０】  また、請求項１０記載の発明にあっては、特に、全体が球体として形成されている収納容器の一部を構成する椀状の被覆部材を脚部として使用することにより装飾効果のあるインテリア品に変形させることができ、より装飾効果を得ることができる。
【発明を実施するための最良の形態】
【００２１】  以下、添付図面に示す実施の形態に基づき、本発明にかかる収納容器１０を詳細に説明する。  本実施の形態に係る収納容器１０は、図１及び図２に示すように、内容物を収納又は排出しうる孔部１１を有する収納容器本体２５と、上記内容物３５が収納されている場合に上記孔部１１を閉止しうる第一の閉止面部２１ａと、上記第一の閉止面部２１ａの背面部側に設けられた第二の閉止面部２１ｂを有する閉止部材１２を備えた収納容器１０であって、上記閉止部材１２は、上記内容物３５が上記孔部１１から排出され、収納容器本体２５が上記孔部１１が下方に向かうように配置された場合には、上記第二の閉止面部２１ｂにより上記孔部１１を閉止すると共に、上記収納容器本体２５を載置面６３上に支持しうる脚部６４として使用されるように構成されている。【００２２】上記内容物３５は飲料水３５であると共に、上記収納容器本体２５は飲料水３５が視認可能に形成されている。上記閉止部材１２は上記孔部１１に被覆されるキャップ１４であり、上記キャップ１４の下面側には上記第一の閉止面部２１ａが形成されると共に上記キャップの上面側には上記第二の閉止面部２１ｂが形成され、上面側及び下面側には夫々上記孔部１１への係合部１５ａ，１５ｂが形成されている。【００２３】上記孔部１１の周縁部には、上収納容器本体２５の表面から突出し、上記キャップ１４を固定しうるキャップ係止部１７が形成されている。上記キャップ１４は、上記第一の閉止面部２１ａ及び上記第二の閉止面部２１ｂの周縁部において上下方向に延設され、上記第一の閉止面部２１ａ及び上記第二の閉止面部２１ｂを、夫々、包囲するように形成された側面部２３を有する。【００２４】上記収納容器本体２５は透明に形成され、上記第二の閉止面部２１ｂには、上記孔部１１を介して収納容器本体２５内へ挿入しうる装飾物２０が設けられており、上記収納容器本体２５内に収納されている内容物３５を上記孔部１１から排出した場合には、上記装飾物２０を上記収納容器本体２５内に挿入して配置し、上記収納容器本体２５を上記閉止部材１４を脚部６４として使用して載置面６３上に載置しうるように構成されている。【００２５】  また、本実施の形態に係る収納容器７０は、内容物３５を収納又は排出しうる孔部１１を有する収納容器本体２５と、この孔部１１を閉止しうる閉止部材３７と、上記閉止部材３７に接合されて上記収納容器本体２５に取り付けられ、上記閉止部材３７及び収納容器本体２５を被覆すると共に、上記収納容器本体２５を載置面６３上に支持しうる脚部３９として使用されうる被覆部材３８とを備えている。また、上記閉止部材３７は、一面部には被覆部材３８への着脱可能な固定部４１を有する一方、他面部には上記孔部１１の閉止部５０が形成されると共に上記孔部１１へ係合しうる接合部４３が設けられている。【００２６】上記被覆部材３８は、外表面部６１が上記収納容器本体２５の外表面部６２と連続して同一平面を形成しうるように構成され、上記収納容器本体２５と上記被覆部材３８とが全体として一体となるように形成されている。上記収納容器７０は全体球体に形成され、上記収納容器本体２５は略半球状に形成されていると共に、上記被覆部材３８は上記収納容器本体２５と共に球体を形成しうるように椀状に形成され、上記閉止部材３７は短円筒状に形成されている。【００２７】そして、上記収納容器本体２５の上記孔部１１の周縁部には係合突部４４が形成され、上記閉止部材３７は、上記孔部１１の上記係合突部４４を抱持して係合しうる接合部４３及び上記被覆部材３８を閉止部材３７に固定しうる固定突部４６を有し、上記被覆部材３８は、上記収納容器本体２５と当接する端部には開口部６０が形成され、上記開口部６０の高さ方向における反対側端部には、上記閉止部材３７の上記固定突部４６と係合しうる固定孔部４７と、上記接合部４３を抱持して係合しうる閉止部材固定部５３とを有し、上記閉止部材３７の上記接合部４３が上記収納容器本体２５の上記孔部１１の係合突部４４に係合することにより上記閉止部材３７が上記孔部１１を閉止する。【００２８】また、上記閉止部材３７の上記固定突部４６が上記被覆部材３８の固定孔部４７に係合すると共に、上記接合部４３が上記閉止部材固定部５３に係合することにより、上記被覆部材３８が上記閉止部材３７に固定されて上記閉止部材３７及び収納容器本体２５を被覆するように構成されている。【００２９】そして、この収納容器７０を、載置面６３上に載置する際には、上記閉止部材３７の固定突部４６と上記被覆部材３８の固定孔部４７との係合状態を解除すると共に上記閉止部材３７の接合部４３と上記閉止部材固定部５３との係合を解除して上記被覆部材３８を閉止部材３７から取り外し、上記被覆部材３８を、上記開口部６０が上記収納容器本体２５から離間するように反転させて配置して、上記被覆部材３８の外表面部６１側から上記固定孔部４７へ上記閉止部材３７の固定突部４６を挿通させて、上記被覆部材３８を上記閉止部材３７を介して上記収納容器本体２５に固定させることにより、上記被覆部材３８を脚部として使用して上記収納容器本体２５を載置面上に支持させ、収納容器本体２５を支持するように構成されている。【００３０】本実施の形態において上記内容物３５は液体であると共に、上記収納容器本体２５は外部から液体が視認可能に形成されており、上記収納容器本体２５内には装飾体４９が配置され、上記収納容器本体２５は上記装飾体４９が外部から視認可能に形成されている。
【実施例１】
【００３１】  図１に示すように、本実施例においては、収納容器１０には飲料水３５が収納され、飲料水容器として販売され、購買後、飲料水３５が飲まれた後においては、図３に示すように、装飾物２０が内部に配置され、室内のインテリアとして使用されるように机の上等の適宜の載置面６３上に載置されるように構成されている。【００３２】  図１に示すように、収納容器１０は、略球状に形成された収納容器本体２５と、上記収納容器本体２５内部の内容物を収納又は排出しうる孔部１１と、上記孔部１１を閉止しうる閉止部材１２とにより構成されている。上記収納容器本体２５は、透明又は半透明のＰＥＴ素材により形成されている。本実施例にあっては、ＰＥＴにより形成されている場合を例に説明しているが、ガラス、プラスチック、アクリル等の素材による形成されていてもよい。【００３３】  図４に示すように、上記孔部１１は、上記収納容器本体２５表面において、平面円形状に設けられている。上記孔部１１の周縁部１６には、上記収納容器１０の表面から上記収容容器１０の外方へ突出するキャップ係止部１７が一体に形成され、上記キャップ係止部１７は、上記収容容器本体２５に設けられた孔部１１の周縁においてリング状に突出形成されており、上記キャップ係止部１７の外側面部にはネジ溝１８が形成されている。【００３４】本実施例にあっては、図２及び図５に示すように、上記閉止部材１２は、合成樹脂製であって、上記孔部１１に被覆されるキャップ１４により形成され、キャップ１４は、キャップ本体３１と、このキャップ本体３１上に固定された装飾物２０とにより構成されている。キャップ本体３１は、外側面部３２が上方に向かって収縮するテーパを有する円環状の側面部２３と、この側面部２３内方において側面部２３の高さ方向の中間部において上下一対に形成された閉止面部２１ａ，２１ｂとを有している。【００３５】即ち、キャップ本体３１の下部に形成され、上記飲料水２５が内部に収納された状態において上記孔部１１を水密状態に閉止する第一閉止面部２１ａと、上記キャップ本体３１の上部に形成され、上記内容物３５が上記孔部１１から排出され、収納容器本体２５が上記孔部１１が下方に向かうように配置された場合に上記孔部１１を閉止する第二閉止面部２１ｂとを備えている。  また、上記側面部２３は、上記収納容器本体２５を載置面６３上に支持しうる脚部６４として使用されるように構成されている。【００３６】図２に示すように、上記キャップ本体３１の上部には、第二閉止面部２１ｂを構成する台部２９が設けられ、上記台部２９の上方には装飾物２０が固定されている。上記装飾物２０は、本実施例においては、人間を模した、いわゆるキャラクター玩具であり、上記収容容器本体２５に収容しうる高さ寸法であって、その最大幅寸法は上記孔部１１の内径よりも狭い幅寸法に形成されている。また、上記台部２９は、キャップ係止部１７の厚さ寸法分、上記側面部２３内側面２４から内方へ離間して設けられ、その結果、側面部２３の内側面部と上記台部２９との間にはキャップ係止部１７が挿入される係合部１５ａが形成されている。【００３７】上記第一閉止面部２１ａ及び第二閉止面部２１ｂは、収納容器本体２５の孔部���１に設けられたキャップ係止部１７の外径寸法Ｌと同一の直径Ｗを有している。また、上記第一閉止面部２１ａと側面部２３の下端部３３との間隔寸法Ｌ１及び、上記係合部１５ａの底面部と側面部２３の上端部３４との間隔寸法Ｌ２は上記キャップ係止部１７の高さ寸法Ｈと略同一に形成されている。上記側面部２３の内側面２４には、キャップ係止部１７への係合部１５ａ，１５ｂを形成するネジ溝１９ａ，１９ｂが上記閉止面部２１の上方及び下方に、夫々、設けられている。【００３８】また、本実施例にあっては、上記側面部２３の上端部３４は、上記飲料水３５が上記孔部１１から排出され、上記閉止部材１２の第二閉止面部２１ｂにより上記孔部１１を閉止する場合に、球状に形成された収納容器２５の表面部に密接しうるように、内方に向かって下降する傾斜面部を有して形成されていると共に、上記閉止部材１４を脚部として使用して上記収納容器本体２５を載置面６３上に載置しうるように構成され、上記収納容器本体２５を安定して支持することができるように上記側面部２３の下端部３３は平坦に形成されている。  なお、上記閉止面部２１の上面および下面に、Ｏリングやゴムパッキンを挿入することにより、キャップ１４の装着時にキャップ係止部１７に 圧接させることにより、収納容器内に収納した収容物の漏れを防ぐように構成されてもよい。【００３９】  以下、添付図面に示す実施例に基づき、本発明に係る収納容器１０の作用について詳細に説明する。  本実施例においては、上記収納容器１０は、ジュース・お茶・水等、の飲料水３５の収納容器として用いられている。なお、飴玉や菓子等の固形物の収納容器としても用いられてもよい。上記飲料水等は上記収容容器本体２５に設けられた孔部１１を介して注入されて内部に充填されている。【００４０】上記収納容器１０においては、上記孔部１１は上記キャップ１４により密封されて店頭において販売される。この場合、閉止部材１２を構成するキャップ１４の第一閉止面部２１ａにより上記孔部１１は水密状態に閉止されている。【００４１】  上記キャップ１４の上面側には人間のキャラクター玩具の装飾物２０が設けられており、上記飲料水・菓子等が満たされている収納容器１０が商品として店頭において陳列されている時には、図１、図２及び図４に示すように、上記キャップ１４の下面側に設けられたネジ溝１９ｂからなる上記係合部１５ｂを上記収容容器本体２５に設けられたキャップ係止部１７のネジ溝１８に係合することにより、キャップ１４により孔部１１が閉止され、上記キャップ１４上面に載置された上記装飾物２０を上記収容容器１０の外部に露呈していることから、装飾物２０により上記収納容器１０が装飾されており、購買者の関心を惹くことができる。【００４２】この場合、上記のように、上記閉止面部２１は、収納容器本体２５の孔部１１に設けられたキャップ係止部１７の外径寸法Ｌと同一の直径Ｗを有していることから、キャップ１４は収納容器１０の孔部１１を確実に水密状態に閉止する。また、収納容器１０を需要者が購入後、上記収納容器本体２５内より、上記飲料水３５を飲み干した後は、図３に示すように、装飾物２０を上記孔部１１を介して、収納容器本体２５内へ挿入し、上���キャップ１４の上面側に設けられた上記係合部１５ａのネジ溝１９ａを上記収容容器本体２５に設けられたキャップ係止部１７のネジ溝１８に係合する。【００４３】この場合、上記のように、装飾物２０の最大寸法は孔部１１の内径よりも小さく形成されていることから、孔部１１を介して装飾物２０を収納容器２５の内部へ挿入することができる。また、上記係合部１５ａの底面部と上端部３４との間の間隔寸法Ｌ２は上記キャップ係止部１７の高さ寸法Ｈと同一に形成されていると共に、上記台部２９は、キャップ係止部１７の厚さ寸法分、上記側面部２３内側面から内方へ離間して設けられていることから、上記キャップ係止部１７は、ネジ溝１８がネジ溝１９ａに歯合することにより、側面部２３，２３と台部２９との間に収納された形で係合部１５ａに係合して固定される。これにより、上記キャップ１４上面に載置された装飾物２０が上記収納容器１０の内部に収容される。【００４４】上記収納容器２５は透明なＰＥＴ素材により形成されていることから、外部から上記装飾物２０を収納容器２５の内方に視認することができる。また、上記のように、上記キャップ１４の側面部２３の上端部３４は、球状に形成された収納容器２５の表面部に密接しうるように形成されていることから、収納容器２５の外表面に密接する。【００４５】上記側面部２３の下端部３３は平面に形成されていることから、収納容器２５内に装飾物２０を収納容器２５内に配置した状態で、机等の載置面６３上に安定して載置させることができる。また、上記のように、キャップ１４の側面部２３の上端部３４は、机等の上に載置した場合であっても、安定し収納容器２５を支持することができ、置物として使用することが可能となる。
【実施例２】
【００４６】本発明にかかる第２の実施例に係る収納容器７０を、図６〜図１２に示す実施例に基づき詳細に説明する。  本実施の形態にかかる収納容器７０は、図７に示すように、通常時には上記被覆部材３８と上記収納容器本体２５により一体的に球状に形成されているが、図６に示すように、上記被覆部材３８を取り外し、上下方向において反転させて脚部３９として使用し脚部３９上に収納容器本体２５を固定した場合にあっては、脚部３９を介して収納容器１０を机等の載置面６３上に載置される置き物として用いられる。【００４７】  図６乃至図８に示すように、収納容器７０は、内容物３５を収納又は排出しうる孔部１１を有する収納容器本体２５と、この孔部１１を閉止しうる閉止部材３７と、上記閉止部材３７に接合されて上記収納容器本体２５に取り付けられ、上記閉止部材３７及び収納容器本体２５を被覆すると共に、上記収納容器本体２５を載置面６３上に支持しうる脚部３９として使用されうる被覆部材３８とを備えている。【００４８】上記収納容器本体２５は、透明又は半透明のＰＥＴ素材により形成されている。本実施例にあっては、ＰＥＴにより形成されている場合を例に説明しているが、ガラス、プラスチック、アクリル等の素材による形成されていてもよい。【００４９】  図８に示すように、上記孔部１１は、上記収納容器本体２５表面において、平面円形状に設けられている。上記孔部１１の周縁部５４には、上記収納容器本体２５の表面から外方へ突出する係合突部４４が一体に形成され、上記係合突部４４の外側面部にはネジ溝５５が形成されている。【００５０】  図９に示すように、上記閉止部材３７は、略短円筒状に形成され、上面部には被覆部材３８への着脱可能な固定部４１を有する一方、他面部には上記孔部１１の閉止部５０が形成されると共に上記孔部１１へ係合しうる接合部４３が設けられている。【００５１】また、上記閉止部材３７は、上記孔部１１の上記係合突部４４を抱持して係合しうる接合部４３及び上記被覆部材３８を閉止部材３７に固定しうる固定突部４６を有している。上記接合部４３の係合突部４５の間の径寸法Ｑは、上記孔部１１の周縁部に形成された係合突部４４の径寸法Ｐと同一に形成されている。また、上記閉止面部５０に設けられた係合突部４５の高さ寸法Ｒは、上記収納容器本体２５の係合突部４４の高さ寸法Ｓと略同一に形成されている。【００５２】図９に示すように、上記短円筒状の閉止部材３７の他面部の内側面５１には、上記収納容器本体２５の係合突部４４への係合突部４５を形成するネジ溝５２が設けられている。また、図９に示すように、上記収納容器本体２５の係合突部４４の周縁部５４には、上記閉止部材３７の係合突部４５に設けられたネジ溝５２と係合しうるネジ溝５５が設けられている。【００５３】  なお、上記閉止面部５０に、Ｏリングやゴムパッキンを挿入することにより、閉止部材３７を上記収納容器本体２５に装着時に係合突部４４に圧接させることにより、収納容器１０内に収納した収容物の漏れを防ぐように構成されてもよい。図７，図８及び図９に示すように、上記被覆部材３８は上記収納容器本体２５と共に球体を形成しうるように椀状に形成されている。また、上記被覆部材３８は��外表面部６１が上記収納容器本体２５の外表面部６２と連続して同一平面を形成しうるように構成され、上記収納容器本体２５と上記被覆部材３８とが全体として一体となるように形成されている。【００５４】図７に示すように、上記被覆部材３８の外方部４８は、上記収納容器本体２５の表面と略同一の曲率を有して形成され、上記閉止部材１２を構成する上記被覆部材３８は全体椀状に形成され、上記収納容器本体２５は略半球状に形成され、上記被覆部材３８は、上記収納容器本体２５と共に略球体を形成しうるように構成されている。  なお、本実施の態様においては、上記被覆部材３８と上記収納容器本体２５により一体的な形状が形成されている例として略球状に形成されている場合を示しているが、上記被覆部材３８と上記収納容器本体２５とにより形成される形状は、紡錘形や方形等であってもよい。【００５５】上記被覆部材３８は、上記収納容器本体２５と当接する端部には開口部６０が形成され、上記開口部６０の高さ方向における反対側端部には、上記閉止部材３７の上記固定突部４６と係合しうる固定孔部４７と、上記接合部４３を抱持して係合しうる閉止部材固定部５３とを有し、上記閉止部材３７の上記接合部４３が上記収納容器本体２５の上記孔部１１の係合突部４４に係合することにより上記閉止部材３７が上記孔部１１を閉止するように構成されている。【００５６】上記固定孔部４７の内径寸法は、上記閉止部材３７の固定突部４６の外径寸法と同一に形成されている。また、上記閉止部材固定部５３の内径寸法は上記閉止部材３７の固定孔部４６の外径寸法と同一に形成されている。    図１０に示すように、上記被覆部材３８の内方部５６の上記上端部５９裏面には、上記閉止部材３７の一面部に設けられた固定部４１と係合しうる閉止部材固定部５３が設けられている。【００５７】  図９に示すように、本実施例においては、上記収納容器本体２５内には水が封入されると共に小径の球体等の装飾物４９が水の中に浮遊する状態で配置されている。従って、図７に示すように、上記閉止部材３７の上記固定突部４６が上記被覆部材３８の固定孔部４７に係合すると共に、上記接合部４３が上記閉止部材固定部５３に係合することにより、上記被覆部材３８が上記閉止部材３７に固定されて上記閉止部材３７及び収納容器本体２５を被覆する。【００５８】一方、図９に示すように、上記閉止部材３７の固定突部４６と上記被覆部材３８の固定孔部４７との係合状態を解除すると共に上記閉止部材３７の接合部４３と上記閉止部材固定部５３との係合を解除することにより上記被覆部材３８を閉止部材３７から取り外すことができる。【００５９】そして、図１０及び図１１に示すように、上記被覆部材３８を、上記開口部６０が上記収納容器本体２５から離間するように上下方向において反転させて配置して、上記被覆部材３８の外表面部６１側から上記固定孔部４７へ上記閉止部材３７の固定突部４６を挿通させて、上記被覆部材３８を上記閉止部材３７を介して上記収納容器本体２５に固定させることにより、図１２に示すように、上記被覆部材３８を脚部３９として使用して上記収納容器本体２５を載置面上に支持させ、収納容器本体２５を支持するように構成されている。【００６０】また、上記内容物３５は液体であると共に、上記収納容器本体２５は外部から液体が視認可能に形成されている。上記収納容器本体２５内には装飾体４９が配置され、上記収納容器本体２５は上記装飾体４９が外部から視認可能に形成されている。【００６１】  以下、添付図面に示す実施例に基づき、本発明に係る収納容器７０の作用について詳細に説明する。  上記収納容器７０は、内部に液体を収納し、かつ液体内に装飾体４９を配置した収納容器として用いられ、上記液体及び装飾体４９等は上記収容容器本体２５に設けられた孔部１１を介して収納及び排出が行われる。【００６２】  図６、図７に示すように、上記収納容器本体２５内に収納された上記装飾体４９等は、上記閉止部材３７により水密状態で密封されている。  上記収納容器７０が玩具売り場やゲームセンターの遊戯具内において陳列されている際には、図７に示すように、上記被覆部材３８の内方部５６に設けられた閉止部材固定部５３が上記閉止部材３７の一面部に設けられた接合部４３に係合すると共に、上記固定突部４６を固定孔部４７に係合させ、上記閉止部材３７の他面部に設けられた上記係合突部４５を、上記収納容器本体２５に設けられた係合突部４４に係合させることにより、上記被覆部材３８と上記収納容器本体２５とにより全体略球体に形成された収納容器７０が形成されている。【００６３】  この場合、上記のように、上記閉止面部５０は、収納容器本体２５の孔部１１に設けられた係合突部４４の外径寸法Ｐと同一の直径Ｑを有しており、上記閉止部材３７の上記係合突部４５には、ネジ溝５２が設けられ、上記収納容器本体２５の係合突部４４には、上記ネジ溝５２と係合しうるネジ溝５５が設けられていることから、上記閉止部材３７を上記収納容器本体２５に係合することにより、上記閉止部材３７は収納容器７０の孔部１１を確実に閉止する。【００６４】一方、この収納容器７０を需要者が購入等により入手した後においては、図９に示すように、上記閉止部材３７の固定突部４６と上記被覆部材３８の固定孔部４７との係合状態を解除すると共に上記閉止部材３７の接合部４３と上記閉止部材固定部５３との係合を解除することにより上記被覆部材３８を閉止部材３７から取り外すことができる。【００６５】そして、図１０及び図１１に示すように、上記被覆部材３８を、上記開口部６０が上記収納容器本体２５から離間するように上下方向において反転させて配置して、上記被覆部材３８の外表面部６１側から上記固定孔部４７へ上記閉止部材３７の固定突部４６を挿通させて、上記被覆部材３８を上記閉止部材３７を介して上記収納容器本体２５に固定させることにより、図１２に示すように、上記被覆部材３８を脚部として使用して上記収納容器本体２５を載置面６３上に支持させ、収納容器本体２５を机等の載置面６３上に配置することができる。【００６６】  この場合、図６、図７に示すように、上記収納容器２５はＰＥＴ素材等の透明素材により形成されていることから、外部から上記収納容器本体２５内に配置された液体や装飾体４９を収納容器２５の内方に視認することができる。
【産業上の利用可能性】
【００６７】  本件発明は、収納容器に係り、特に、使用前は収納容器の装飾機能を有し、収納容器内の取り出し後は、装飾物の陳列容器として使用できる収納容器及び、被覆部材を反転させることにより容易かつ迅速に机等の上に置くことができ、全体として球状に形成され、外観が良好で購買意欲を惹起する収納容器に適用できるものである。
【図面の簡単な説明】
【００６８】
【図１】図１は、本発明に係る収納容器の装飾物を収納容器外に露呈させた閉止部材により通常の閉止状態を示す全体側面図である。
【図２】図２は、本発明に係る閉止部材であるキャップを示す側面図である。
【図３】図３は、本発明に係る収納容器の装飾物を収納容器内に収容させた実施形態を示す全体側面図である。
【図４】図４は、本発明に係る収納容器のキャップを取り外した実施形態を示す側面図である。
【図５】図５は、本発明に係る収納容器のキャップの実施形態を示す平面図である。
【図６】図６は、本発明に係る被覆部材を脚部として使用することにより載置面に載置した状態を示す収納容器の第２の実施形態の全体斜視図である。
【図７】図７は、図６のA-A線断面であって、本発明に係る収納容器が、被覆部材と収納容器本体とにより略全体球状に形成されている実施形態を示す図である。
【図８】図８は、図６のA-A線断面であって、本発明にかかる収納容器を略球状に形成する場合において、閉止部材を被覆部材に係合させた状態で、収納容器本体から離間させた状態における実施形態を示す図である。
【図９】図９は、図６のA-A線断面であって、本発明にかかる収納容器を略球状に形成する場合において、閉止部材、被覆部材及び収納容器本体を夫々離間させた状態における実施形態を示す図である。
【図１０】図１０は、図６のA-A線断面であって、本発明にかかる収納容器に脚部を形成する場合において、閉止部材、被覆部材及び収納容器本体を夫々離間させた状態における実施形態を示す図である。
【図１１】図１１は、図６のA-A線断面であって、本発明にかかる収納容器に脚部を形成する場合において、閉止部材を被覆部材に係合させた状態で、収納容器本体から離間させた状態における実施形態を示す図である。
【図１２】図１２は、図６のA-A線断面であって、本発明に係る被覆部材を脚部として使用することにより載置面に載置した状態における実施形態を示す図である。
【符号の説明】
【００６９】１０    収納容器１１    孔部１２    閉止部材１４    キャップ１５ａ  係合部１５ｂ  係合部１６    周縁部１７    キャップ係止部１８    ネジ溝１９ａ  ネジ溝１９ｂ  ネジ溝２０    装飾物２１    閉止面部２１ａ  第一閉止面部２１ｂ  第二閉止面部２２    周縁部２３    側面部２４    内側面２５    収納容器本体２９    台部３１    キャップ本体３２    外側面部３３    下端部３４    上端部３５    内容物（飲料水）３６    閉止部３７    閉止部材３８    被覆部材３９    脚部４１    固定部４３    接合部４４    係合突部４５    係合突部４６    固定突部４７    固定孔部４８    外方部４９    装飾体５０    閉止面部５１    内側面５２    ネジ溝５３    閉止部材固定部５４    周縁部５５    ネジ溝５６    内方部５８    下端部５９    上端部６０    開口部６１    外表面部６２    外表面部６３    載置面６４    脚部７０    収納容器
【手続補正３】
【補正対象書類名】図面
【補正対象項目名】全図
【補正方法】変更
【補正の内容】
【図１】
2005306479.tif 000014
【図２】
2005306479.tif 000015
【図３】
2005306479.tif 000016
【図４】
2005306479.tif 000017
【図５】
2005306479.tif 000018
【図６】
2005306479.tif 000019
【図７】
2005306479.tif 000020
【図８】
2005306479.tif 000021
【図９】
2005306479.tif 000022
【図１０】
2005306479.tif 000023
【図１１】
2005306479.tif 000024
【図１２】
2005306479.tif 000025